(57)【要約】【課題】導入時の患者の安全を確保しつつ治療室における配置の自由度を向上させると共に複数人で患者を治療する際に処置者の作業性を向上させる歯科治療ユニットを提供する。【解決手段】歯科治療用椅子１２０と、この歯科治療用椅子の下部に設けられたスピットンアーム１４０と、このスピットンアームによって支持されるスピットン１３０とを備えた歯科治療ユニット１００であって、歯科治療用椅子が、コンターシート１２１と、バックレスト１２２とを有し、スピットンが、スピットンアームと歯科治療用椅子との連結部分に設けられた第１回動軸１２５を中心に回動可能に支持され、第１回動軸とスピットンとが、歯科治療用椅子を長手方向に沿って分割する中心線Ｃを境にして同じ側に位置し、歯科治療用椅子に第１回動軸の回動範囲を規制する第１回動範囲規制手段が設けられ、第１回動軸の回動範囲の外に歯科治療用椅子が配置されている。【選択図】図１
2020054737.tif 000002
【特許請求の範囲】
【請求項１】
患者が着座する歯科治療用椅子と、該歯科治療用椅子の下部に設けられたスピットンアームと、該スピットンアームによって支持されるスピットンとを備えた歯科治療ユニットであって、
前記歯科治療用椅子が、コンターシートと、バックレストとを有し、
前記スピットンが、前記スピットンアームと前記歯科治療用椅子との連結部分に設けられた第１回動軸を中心に回動可能に支持され、
前記第１回動軸と前記スピットンとが、前記歯科治療用椅子を長手方向に沿って分割する中心線を境にして同じ側に位置し、
前記歯科治療用椅子に前記第１回動軸の回動範囲を規制する第１回動範囲規制手段が設けられ、
前記第１回動軸の回動範囲の外に前記歯科治療用椅子が配置されていることを特徴とする歯科治療ユニット。
【請求項２】
前記スピットンアームが回動する際の回動抵抗を調整する第１回動抵抗調整手段が、前記第１回動軸に設けられていることを特徴とする請求項１に記載の歯科治療ユニット。
【請求項３】
前記スピットンアームの回動を所定の位置で制止するスピットンアーム制止手段が、前記第１回動軸に設けられていることを特徴とする請求項１または２に記載の歯科治療ユニット。
【請求項４】
前記スピットンが、該スピットンと前記スピットンアームとの連結部分に設けられた第２回動軸を中心に回動可能に支持されていることを特徴とする請求項１から３のいずれか１項に記載の歯科治療ユニット。
【請求項５】
前記スピットンの回動範囲を規制する第２回動範囲規制手段が、前記第２回動軸に設けられていることを特徴とする請求項４に記載の歯科治療ユニット。
【請求項６】
前記スピットンが回動する際の回動抵抗を調整する第２回動抵抗調整手段が、前記第２回動軸に設けられていることを特徴とする請求項４または５に記載の歯科治療ユニット。
【請求項７】
前記スピットンの回動を所定の位置で制止するスピットン制止手段が、前記第２回動軸に設けられていることを特徴とする請求項４から６のいずれか１項に記載の歯科治療ユニット。
【発明の詳細な説明】
【技術分野】
【０００１】
本発明は、歯科治療用椅子と、スピットンアームと、スピットンとを備えた歯科治療ユニットに関するものである。
【背景技術】
【０００２】
従来、歯科用照明灯等を支持するための垂直支持軸およびスピットン装置を治療台と組み合わせて装設した歯科治療台が知られている（例えば、特許文献１）。
この歯科治療台において、スピットン支持筒が治療台の座席側部に固定され、このスピットン支持筒によってスピットン座台が支持されて、スピットン装置がスピットン支持筒の周りに回転自在に維持されている。
【先行技術文献】
【特許文献】
【０００３】
【特許文献１】実開昭５９−１７２４２３号公報
【発明の概要】
【発明が解決しようとする課題】
【０００４】
特許文献１に記載されている歯科治療台は、歯科用照明灯等の垂直支持軸をスピットン支持筒と同軸的に合体したものであり、スピットン鉢を有するスピットン装置が、治療台の座席側面に設けられた連結ボックスの一端の上方に装着されて、スピットン支持筒の周りに回転自在である。
この連結ボックスの他端は治療台に固定されているので、スピットン装置を回転させてスピットン鉢の位置を患者に対して近づけたり遠ざけたりすることは可能であるが、スピットン装置の側から患者が治療台に導入する際には連結ボックスが妨げになる。
また、歯科医師や歯科衛生士等の処置者が複数人で患者を治療する際に、特にスピットン装置の側で患者の背側面から治療しようとすると、連結ボックスが邪魔になり、処置者の立ち位置や作業環境が十分に確保されない。
【０００５】
そこで、本発明は、これらの実情に鑑みてなされたものであり、導入時の患者の安全を確保しつつ、治療室における配置の自由度を向上させると共に、複数人で患者を治療する際に処置者の作業性を向上させる歯科治療ユニットを提供することを目的とする。
【課題を解決するための手段】
【０００６】
上記課題を解決するために、請求項１の発明は、患者が着座する歯科治療用椅子と、該歯科治療用椅子の下部に設けられたスピットンアームと、該スピットンアームによって支持されるスピットンとを備えた歯科治療ユニットであって、前記歯科治療用椅子が、コンターシートと、バックレストとを有し、前記スピットンが、前記スピットンアームと前記歯科治療用椅子との連結部分に設けられた第１回動軸を中心に回動可能に支持され、前記第１回動軸と前記スピットンとが、前記歯科治療用椅子を長手方向に沿って分割する中心線を境にして同じ側に位置し、前記歯科治療用椅子に前記第１回動軸の回動範囲を規制する第１回動範囲規制手段が設けられ、前記第１回動軸の回動範囲の外に前記歯科治療用椅子が配置されていることを特徴とするものである。
【０００７】
請求項２の発明は、請求項１の発明において、前記スピットンアームが回動する際の回動抵抗を調整する第１回動抵抗調整手段が、前記第１回動軸に設けられていることを特徴とするものである。
【０００８】
請求項３の発明は、請求項１または２の発明において、前記スピットンアームの回動を所定の位置で制止するスピットンアーム制止手段が、前記第１回動軸に設けられていることを特徴とするものである。
【０００９】
請求項４の発明は、請求項１から３のいずれか１項の発明において、前記スピットンが、該スピットンと前記スピットンアームとの連結部分に設けられた第２回動軸を中心に回動可能に支持されていることを特徴とするものである。
【００１０】
請求項５の発明は、請求項４の発明において、前記スピットンの回動範囲を規制する第２回動範囲規制手段が、前記第２回動軸に設けられていることを特徴とするものである。
【００１１】
請求項６の発明は、請求項４または５の発明において、前記スピットンが回動する際の回動抵抗を調整する第２回動抵抗調整手段が、前記第２回動軸に設けられていることを特徴とするものである。
【００１２】
請求項７の発明は、請求項４から６のいずれか１項の発明において、前記スピットンの回動を所定の位置で制止するスピットン制止手段が、前記第２回動軸に設けられていることを特徴とするものである。
【発明の効果】
【００１３】
本発明によれば、導入時の患者の安全を確保しつつ、治療室における配置の自由度を向上させると共に、複数人で患者を治療する際に処置者の作業性を向上させる歯科治療ユニットを提供することができる。
【図面の簡単な説明】
【００１４】
【図１】本発明の一実施形態に係る歯科治療ユニットの斜視図である。
【図２】本発明の一実施形態に係る歯科治療ユニットの右側面図である。
【図３】本発明の一実施形態に係る歯科治療ユニットの平面図である。
【図４】本発明の一実施形態に係る歯科治療用椅子とスピットンアームとの連結部分を示す斜視図である。
【図５】本発明の一実施形態に係るスピットンおよびスピットンアームならびに第２回動範囲規制手段を示す要部拡大平面図である。
【図６】図２のＶＩ−ＶＩ断面図および要部拡大図である。
【図７Ａ】本発明の一実施形態に係る歯科治療用椅子に導入する患者とスピットンとの位置関係を示す図である。
【図７Ｂ】本発明の一実施形態に係る歯科治療用椅子に着座して治療体勢にある患者とスピットンとの位置関係を示す図である。
【発明を実施するための形態】
【００１５】
以下、図面を参照しながら、本発明の歯科治療ユニットに係る好適な実施形態について説明する。
なお、以下の説明において、異なる図面においても同じ符号を付した構成は同様のものであるとして、その説明を省略する場合がある。
【００１６】
＜１．歯科治療ユニットの概要＞
まず、図１乃至図７Ｂを用いて本発明の一実施形態である歯科治療ユニット１００について説明する。
図１は本発明の一実施形態に係る歯科治療ユニットの斜視図であり、図２は本発明の一実施形態に係る歯科治療ユニットの右側面図であり、図３は本発明の一実施形態に係る歯科治療ユニットの平面図であり、図４は本発明の一実施形態に係る歯科治療用椅子とスピットンアームとの連結部分を示す斜視図であり、図５は本発明の一実施形態に係るスピットンおよびスピットンアームならびに第２回動範囲規制手段を示す要部拡大平面図であり、図６は図２のＶＩ−ＶＩ断面図および要部拡大図であり、図７Ａは本発明の一実施形態に係る歯科治療用椅子に導入する患者とスピットンとの位置関係を示す図であり、図７Ｂは本発明の一実施形態に係る歯科治療用椅子に着座して治療体勢にある患者とスピットンとの位置関係を示す図である。
【００１７】
図１に示すように歯科治療ユニット１００は、床面に設置される下台１１０と、この下台１１０と連結され、患者が着座する歯科治療用椅子１２０と、歯科治療用椅子１２０の右側に一端が連結されたスピットンアーム１４０と、このスピットンアーム１４０の他端に連結され、患者がうがい等をする際に必要な水を供給するスピットン１３０と、歯科治療用椅子１２０の左側に連結され、患者の口腔内を照らす無影灯１５０と、処置者が使用する器具Ｔを保持するアシスタントホルダー１６０と、このアシスタントホルダー１６０と歯科治療用椅子１２０とを接続するアシスタントアーム１７０と、歯科治療用椅子１２０を挟んでスピットン１３０の反対側に位置し、処置者が使用する歯科治療器材を戴置するワークテーブル１８０とを備えている。
【００１８】
＜１．１．下台＞
下台１１０は、床下の給排水管と接続されており、圧縮空気源を内蔵している。
また、この下台１１０は、歯科治療用椅子１２０に接続される昇降アーム１１１および昇降アーム１１１を動かす駆動機構（図示せず）を備えている。
これにより、歯科治療用椅子１２０は、上下に昇降自在になっている。
【００１９】
＜１．２．歯科治療用椅子＞
歯科治療用椅子１２０は、患者の臀部を支持するコンターシート１２１と、このコンターシート１２１に連結され患者の背中を支持するバックレスト１２２と、このバックレスト１２２に連結され患者の頭部を支持するヘッドレスト１２３とを有している。
【００２０】
コンターシート１２１は、平坦なシートであり、その底部が下台１１０の昇降アーム１１１と接続されている。
【００２１】
バックレスト１２２は、コンターシート１２１に対する起立角度が調整自在になっている。
また、バックレスト１２２の上部には、ヘッドレスト１２３を収容可能な凹部が形成されている。
【００２２】
ヘッドレスト１２３は、バックレスト１２２に対する上下方向の位置が調整自在になっている。
また、歯科治療用椅子１２０には、図６に示すように、筐体カバー１２１ａが設けられている。
【００２３】
＜１．２．１．マウントプレート＞
さらに、歯科治療用椅子１２０には、図４に示すように、コンターシート１２１から床面に向けて一定の距離を置いてマウントプレート１２４が設けられている。
このマウントプレート１２４の後方側の右方には、スピットンアーム１４０と連結する第１回動軸１２５が、皿ねじ等で固定されている。
マウントプレート１２４に固定された第１回動軸１２５の周囲には、第１貫通孔１２４ａおよび第２貫通孔１２４ｂが形成されている。
第１貫通孔１２４ａは、コンターシート１２１側に２つ、スピットンアーム１４０側かつ歯科治療用椅子１２０の前側に１つ形成されている。
第２貫通孔１２４ｂは、スピットンアーム１４０側かつ歯科治療用椅子１２０の後側に１つ形成されている。
【００２４】
＜１．２．２．アームマウント＞
マウントプレート１２４の下面には、図４に示すように、アームマウント１２６が設けられている。
このアームマウント１２６には、第１回動軸１２５が貫通する貫通口１２６ａが形成されている。
また、アームマウント１２６の側周面の一部には、切り欠き１２６ｄが形成されている。
アームマウント１２６には、３つの第１ボルト孔１２６ｂが形成されている。
また、アームマウント１２６には、１つの第２ボルト孔１２６ｃが形成されている。
そして、これら３つの第１ボルト孔１２６ｂおよび１つの第２ボルト孔１２６ｃは、アームマウント１２６を貫通している。
【００２５】
ここで、３つのボルトＢ１を、３つの第１貫通孔１２４ａから３つの第１ボルト孔１２６ｂに向けて螺入させることで、アームマウント１２６をマウントプレート１２４に対して当接させ、固定している。
なお、３つのボルトＢ１は、この固定状態において、後述するスピットンアーム上面１４０ａから離間している。
【００２６】
＜１．３．アシスタントホルダー＞
アシスタントホルダー１６０は、図３に示すように、平面視で矩形状である。
アシスタントホルダー１６０は、口腔内を吸引するバキュームや、水や空気を噴出するシリンジといった器具Ｔを複数保持している。
また、アシスタントホルダー１６０は、後述するスピットン１３０の給排水機構部１３１の電磁弁を開閉する吐水ボタン１６１を有している。
この吐水ボタン１６１を押すことで、後述する吐水部１３３から吐水が開始される。
【００２７】
アシスタントホルダー１６０は、アシスタントアーム１７０に対して回動自在となっている。
【００２８】
＜１．４．アシスタントアーム＞
アシスタントアーム１７０は、図３に示すように、一端が歯科治療用椅子１２０に連結され、この歯科治療用椅子１２０に対して回動する。
【００２９】
＜１．５．アシスタントホルダーの回動範囲＞
アシスタントアーム１７０は、歯科治療用椅子１２０の後背側で任意の位置を取ることがほぼ可能となっている。
加えて、アシスタントホルダー１６０はアシスタントアーム１７０に対して３６０度回動自在であるため、アシスタントホルダー１６０は歯科治療用椅子１２０の後背側をほぼ移動自在となる。
【００３０】
また、アシスタントホルダー１６０の可動範囲（すなわちアシスタントアーム１７０の可動範囲）と後述するスピットン１３０の可動範囲θｓとは重複しない。
すなわち、スピットン１３０は、アシスタントホルダー１６０の可動範囲の外に配置されている。
【００３１】
＜２．スピットンおよびスピットンアーム＞
次に、図１乃至図７Ｂを用いて本発明の一実施形態である歯科治療ユニット１００のスピットン１３０およびスピットンアーム１４０について説明する。
【００３２】
＜２．１．スピットン＞
スピットン１３０は、図１および図２に示すように、後述するスピットンアーム１４０によって支持されると共に内部に給排水機構を備えた給排水機構部１３１と、給排水機構部１３１の上部に設けられ患者がうがいした水を受けるスピットン本体１３２と、給排水機構部１３１の上部に設けられる吐水部１３３とを有している。
スピットン本体１３２の底部は、コンターシート１２１の上面よりも高い位置にあり、スピットン本体１３２とコンターシート１２１との間には上下方向に一定の隙間が設けられている。
スピットン１３０と、第１回動軸１２５とは、図３に示すように、歯科治療用椅子１２０を長手方向に沿って分割する中心線Ｃを境にして同じ右側にある。
【００３３】
給排水機構部１３１は、歯科治療用椅子１２０から電源が供給されていると共に歯科治療用椅子１２０と給水管および排水管（共に図示せず）によって連結されている。
給排水機構部１３１の内部には、電磁弁等が設けられている。
この電磁弁は、前述の給水管および吐水部１３３と連結されており、吐水部１３３への吐水を制御している。
給排水機構部１３１の頂部には、患者がうがいのために使用するコップを載置するコップ受け皿１３４が設けられている。
また、スピットン１３０が有する給排水機構部１３１とスピットンアーム１４０との連結部分には、図６に示すように、第２回動軸１３６が設けられている。
給排水機構部１３１の、後述するスピットンアーム１４０の第２開口１４２の周囲に対応する位置には、回動ピン１３５が設けられている。
【００３４】
＜２．２．スピットンアーム＞
スピットンアーム１４０は、コンターシート１２１の下部に設けられ、スピットン１３０を支持している。
また、スピットンアーム１４０は、図２に示すように、下台１１０から距離Ｈだけ離間している。
スピットンアーム１４０の一端には、図３、図４および図５に示すように、第１回動軸１２５が挿入される第１開口１４１が形成されている。
これにより、スピットンアーム１４０は、第１回動軸１２５を中心に歯科治療用椅子１２０に対して回動する。
また、第１開口１４１の周囲には、図４および図５に示すように、第１制止ピン１４３が設けられている。
【００３５】
スピットンアーム１４０の他端には、図５に示すように、第２回動軸１３６が挿入される第２開口１４２が形成されている。
これにより、スピットン１３０は、第２回動軸１３６を中心にスピットンアーム１４０に対して回動する。
また、スピットンアーム１４０の第２開口１４２の周囲には、図５に示すように、一対の第２制止ピン１４４が設けられている。
【００３６】
＜２．３．第１Ｃリング＞
また、第１回動軸１２５の周囲には、図６に示すように、第１Ｃリング１２５ａが設けられている。
この第１Ｃリング１２５ａは、周方向の一部に割りが入ったＣ字型のリング形状をなしている。
そして、スピットンアーム１４０の外側から第１回動軸１２５に向かっては、第１止めねじＳ１を螺入可能な第１ねじ孔１４１ａが形成されている。
【００３７】
＜２．４．第２Ｃリング＞
さらに、第２開口１４２の周囲には、図６に示すように、第２Ｃリング１３６ａが設けられている。
この第２Ｃリング１３６ａは、周方向の一部に割りが入ったＣ字型のリング形状をなしている。
そして、スピットンアーム１４０の外側から第２回動軸１３６に向かっては、第２止めねじＳ２を螺入可能な第２ねじ孔１４２ａが形成されている。
【００３８】
また、スピットンアーム１４０の外側から第２回動軸１３６に向かっては、図６に示すように、アーム固定用止めねじＬを螺入可能な第３ねじ孔１４２ｂが形成されている。
第２Ｃリング１３６ａは、割りの位置が第３ねじ孔１４２ｂと一致する方向に向くように設けられている。
【００３９】
＜３．スピットンアームの回動範囲規制＞
図４に示すように、第１回動軸１２５が第１開口１４１に挿入されて、歯科治療用椅子１２０とスピットンアーム１４０とが連結した状態では、第１制止ピン１４３は、切り欠き１２６ｄの間を回動する。
これにより、切り欠き１２６ｄの両端のいずれかと接触して回動範囲が制限され、スピットンアーム１４０は、歯科治療用椅子１２０に対して、図３に示すθａのように、限られた範囲で回動自在になっている。
すなわち、第１制止ピン１４３および切り欠き１２６ｄは、第１回動範囲規制手段として機能する。
【００４０】
＜４．スピットンアームの回動抵抗調整＞
図６に示すように、第１ねじ孔１４１ａに第１止めねじＳ１を螺入することで、第１Ｃリング１２５ａが第１回動軸１２５を押圧し、歯科治療用椅子１２０に対してスピットンアーム１４０を回りにくくすることができる。
すなわち、第１止めねじＳ１および第１Ｃリング１２５ａは、第１回動軸１２５と協働して、第１回動抵抗調整手段として機能する。
【００４１】
＜５．スピットンアームの位置固定＞
また、図４に示すように、１つのボルトＢ２を１つの第２貫通孔１２４ｂから１つの第２ボルト孔１２６ｃに向けて螺入させることで、スピットンアーム上面１４０ａに１つのボルトＢ２を当接させて、１つのボルトＢ２がスピットンアーム上面１４０ａを押圧することができる。
この押圧により、スピットンアーム１４０が所定の位置に固定される。
すなわち、１つのボルトＢ２は、スピットンアーム上面１４０ａと協働して、スピットンアーム制止手段として機能する。
【００４２】
＜６．スピットンの回動範囲規制＞
図５に示すように、給排水機構部１３１とスピットンアーム１４０とが連結した状態で、回動ピン１３５は、一対の第２制止ピン１４４間を回動可能であると共に、一対の第２制止ピン１４４のいずれかと接触して回動範囲が制限される。
これにより、スピットン１３０の給排水機構部１３１は、スピットンアーム１４０に対して、図３および図５に示すθｂのように、限られた範囲で回動自在になっている。
すなわち、回動ピン１３５および一対の第２制止ピン１４４は、第２回動範囲規制手段として機能する。
【００４３】
＜７．スピットンの回動抵抗調整＞
図６に示すように、第２ねじ孔１４２ａに第２止めねじＳ２を螺入することで、第２Ｃリング１３６ａが第２回動軸１３６を押圧し、スピットンアーム１４０に対してスピットン１３０を回りにくくすることができる。
すなわち、第２止めねじＳ２および第２Ｃリング１３６ａは、第２回動軸１３６と協働して、第２回動抵抗調整手段として機能する。
【００４４】
＜８．スピットンの位置固定＞
図６に示すように、第３ねじ孔１４２ｂにアーム固定用止めねじＬを螺入することで、アーム固定用止めねじＬが第２Ｃリング１３６ａの割りを貫通して、第２回動軸１３６を直接押さえ、スピットンアーム１４０に対してスピットン１３０を所定の位置に固定することができる。
すなわち、アーム固定用止めねじＬおよび第２回動軸１３６は、スピットン制止手段として機能する。
【００４５】
＜９．患者とスピットンとの位置関係＞
スピットン１３０は、例えば、図３に示すθｓの範囲で回動自在である。
患者Ｐが歯科治療用椅子１２０に導入するとき、スピットンアーム１４０は歯科治療用椅子１２０に対して、スピットン１３０はスピットンアーム１４０に対して、例えば、図７Ａに示す位置に配置される。
これにより、歯科治療用椅子１２０の右側とスピットン１３０の前側との間に、患者Ｐの導入に必要な空間が十分に確保される。
【００４６】
患者Ｐが歯科治療用椅子１２０に着座して治療体勢にあるとき、スピットンアーム１４０は歯科治療用椅子１２０に対して、スピットン１３０はスピットンアーム１４０に対して、例えば、図７Ｂに示す位置に配置される。
これにより、スピットン１３０を患者Ｐが洗口し易い位置に配置しつつ、歯科医師や歯科衛生士等の処置者が複数人で患者Ｐを、特にスピットン１３０側で患者Ｐの背側面から治療する際に、処置者の立ち位置や作業環境が十分に確保される。
なお、図７Ｂに示すように、スピットン本体１３２の一部がコンターシート１２１の上に重なって位置するようにスピットン１３０が配置されるときでも、給排水機構部１３１は、コンターシート１２１から離間している。
【００４７】
＜１０．作用効果＞
このように構成され動作する歯科治療ユニット１００は、スピットン１３０が、スピットンアーム１４０と歯科治療用椅子１２０との連結部分に設けられた第１回動軸１２５を中心に回動可能に支持される。これにより、スピットン１３０が歯科治療用椅子１２０のバックレスト１２２側とコンターシート１２１側との間で移動自在となる。
このように、スピットン１３０をバックレスト１２２側に配置して、歯科治療器具が置かれていないためより安全なスピットン１３０側から患者Ｐが歯科治療用椅子１２０に導入し易くなり、導入時の患者Ｐの安全を確保すると共に、患者Ｐの導入位置に制約がなくなり、治療室における歯科治療ユニット１００の配置自由度を向上させることができる。
さらに、歯科医師や歯科衛生士等の処置者が複数人で患者Ｐを治療する際に、患者Ｐが歯科治療用椅子１２０に着座後はスピットン１３０をコンターシート１２１側に配置して、処置者の立ち位置や作業環境を十分に確保可能となるため、処置者の作業性を向上させることができる。
【００４８】
また、第１回動軸１２５とスピットン１３０とが、歯科治療用椅子１２０を長手方向に沿って分割する中心線Ｃを境にして同じ側にあることにより、スピットンアーム１４０の長さをより短く構成することができるため、スピットンアーム１４０の耐久性を増すことができる。
そして、歯科治療用椅子１２０の中心付近にスピットンアーム１４０を回動するための構造が設けられていないため、その空間を有効に利用して、スピットン１３０を制御するための基板類を内蔵することができる。
【００４９】
さらに、スピットンアーム１４０が回動する際の回動抵抗を調整する第１回動抵抗調整手段が、第１回動軸１２５に設けられていることにより、スピットンアーム１４０に回動抵抗が付与されるため、例えば、スピットン１３０に患者Ｐの身体が軽く接触した程度でスピットンアーム１４０が歯科治療用椅子１２０に対して回動しないようにすることができる。
【００５０】
さらに、スピットンアーム１４０の回動を所定の位置で制止するスピットンアーム制止手段が、第１回動軸１２５に設けられていることにより、スピットンアーム１４０が所定の位置で固定されるため、患者Ｐの導入し易さと処置者の立ち位置や作業環境確保を考慮してスピットンアーム１４０を予め位置決めすることができる。
【００５１】
さらに、スピットン１３０が、スピットン１３０とスピットンアーム１４０との連結部分に設けられた第２回動軸１３６を中心に回動可能に支持されていることにより、スピットン１３０が歯科治療用椅子１２０のバックレスト１２２側とコンターシート１２１側との間でより広範囲に移動自在となるため、スピットン１３０をバックレスト１２２側により近い位置に配置して、患者Ｐの導入空間を広くすることができる。
また、患者Ｐが歯科治療用椅子１２０に着座後、スピットン１３０を使用する際にはスピットン１３０をコンターシート１２１側により近い位置に配置して、患者Ｐが洗口し易くすること等ができる。
【００５２】
さらに、スピットン１３０の回動範囲を規制する第２回動範囲規制手段が、第２回動軸１３６に設けられていることにより、スピットン１３０が３６０度回動しなくなるため、例えば、スピットン１３０が歯科治療用椅子１２０と接触することを防ぐことができる。
【００５３】
さらに、スピットン１３０が回動する際の回動抵抗を調整する第２回動抵抗調整手段が、第２回動軸１３６に設けられていることにより、スピットン１３０に回動抵抗が付与されるため、例えば、スピットン１３０に患者Ｐの身体が軽く接触した程度でスピットン１３０がスピットンアーム１４０に対して回動しないようにすることができる。
【００５４】
さらに、スピットン１３０の回動を所定の位置で制止するスピットン制止手段が、第２回動軸１３６に設けられていることにより、スピットン１３０が所定の位置で固定されるため、患者Ｐの導入し易さと洗口し易さを考慮してスピットン１３０を予め位置決めすることができる。
【００５５】
＜変形例＞
以上、本発明を実施するための形態について説明したが、本発明は上記に限定されるものではない。
【００５６】
例えば、上記実施形態において、歯科治療ユニット１００の右側にスピットン１３０を連結し、左側にワークテーブル１８０を配置しているが、歯科治療ユニット１００の左側にスピットン１３０を連結し、右側にワークテーブル１８０を配置してもよい。
【００５７】
例えば、上記実施形態において、歯科治療ユニット１００の右側にスピットン１３０、左側に無影灯１５０を連結しているが、歯科治療ユニット１００の左側にスピットン１３０、右側に無影灯１５０を連結してもよい。
【００５８】
例えば、上記実施形態において、下台１１０が、圧縮空気源を内蔵しているが、圧縮空気源を歯科治療ユニット１００の外部に設けてもよい。
この場合、下台１１０は、歯科治療ユニット１００の外部に設けられた圧縮空気源と接続される。
【００５９】
例えば、上記実施形態においては、アシスタントホルダー１６０は、器具Ｔを複数保持しているが、保持している器具Ｔの数は１つであってもよい。
【００６０】
例えば、上記実施形態においては、無影灯１５０は歯科治療用椅子１２０に設けられているが、床面や天井に設けて歯科治療用椅子１２０と別体にしてもよい。
【符号の説明】
【００６１】
１００      …  歯科治療ユニット
１１０      …  下台
１１１      …  昇降アーム
１２０      …  歯科治療用椅子
１２１      …  コンターシート
１２１ａ    …  筐体カバー
１２２      …  バックレスト
１２３      …  ヘッドレスト
１２４      …  マウントプレート
１２４ａ    …  第１貫通孔
１２４ｂ    …  第２貫通孔
１２５      …  第１回動軸
１２５ａ    …  第１Ｃリング
１２６      …  アームマウント
１２６ａ    …  貫通口
１２６ｂ    …  第１ボルト孔
１２６ｃ    …  第２ボルト孔
１２６ｄ    …  切り欠き
１３０      …  スピットン
１３１      …  給排水機構部
１３２      …  スピットン本体
１３３      …  吐水部
１３４      …  コップ受け皿
１３５      …  回動ピン
１３６      …  第２回動軸
１３６ａ    …  第２Ｃリング
１４０      …  スピットンアーム
１４０ａ    …  スピットンアーム上面
１４１      …  第１開口
１４１ａ    …  第１ねじ孔
１４２      …  第２開口
１４２ａ    …  第２ねじ孔
１４２ｂ    …  第３ねじ孔
１４３      …  第１制止ピン
１４４      …  第２制止ピン
１５０      …  無影灯
１６０      …  アシスタントホルダー
１６１      …  吐水ボタン
１７０      …  アシスタントアーム
１８０      …  ワークテーブル
Ｔ        …  器具
Ｓ１      …  第１止めねじ
Ｓ２      …  第２止めねじ
Ｌ        …  アーム固定用止めねじ
Ｂ１      …  第１ボルト
Ｂ２      …  第２ボルト
Ｐ        …  患者
Ｃ        …  中心線
θａ      …  スピットンアームの回動範囲
θｂ      …  給排水機構部の回動範囲
θｓ      …  スピットンの回動範囲
【図１】
2020054737.tif 000003
【図２】
2020054737.tif 000004
【図３】
2020054737.tif 000005
【図４】
2020054737.tif 000006
【図５】
2020054737.tif 000007
【図６】
2020054737.tif 000008
【図７Ａ】
2020054737.tif 000009
【図７Ｂ】
2020054737.tif 000010